(57)【要約】   【課題】装置の幅寸法と奥行き寸法とのバランスを取り空間の利用効率が良い画像形成装置を提供する。  【解決手段】メイン給紙トレイ３ｃと予備給紙トレイ３ｂは、給紙線にほぼ直角な方向である矢印Ａ方向に沿って配置されている。メイン給紙トレイ３ｃに収容されている用紙１６が無くなると、予備給紙トレイ３ｂに収容されている用紙１６が、メイン給紙トレイ３ｃの収容位置に向けて矢印Ａに沿って移動される。予備給紙トレイ３ｂのメイン給紙トレイ３ｃと隣接する側面と反対側の側面（画像形成装置１の正面側となる面）には、予備給紙トレイ３ｂに用紙１６を補給するための開閉可能な給紙開口３ａが設けられている。    【選択図】    図１
2006096534.tif 000002
【特許請求の範囲】
【請求項１】
用紙に画像を形成する画像形成部と、その画像形成部に用紙を供給する給紙部と、前記画像形成部により画像が形成された用紙を収容し、前記画像形成部を挟んで前記給紙部とは反対側に配置された排紙部とを備えた画像形成装置において、
前記画像形成部は、前記給紙部より用紙が給紙される経路を示す給紙線の延長方向へ画像が形成された用紙を排紙するものであり、
前記給紙部は、
前記給紙線上に配置され、前記画像形成部に供給される用紙を収容する主給紙手段と、
その主給紙手段が用紙を収容している位置に対し、前記給紙線と略直角な位置に配置され、予備の用紙を収容する副給紙手段と、
前記主給紙手段が収容している用紙が無くなった場合に、前記副給紙手段が収容している予備の用紙を前記主給紙手段の用紙を収容する位置に向けて前記給紙線と略直角な方向へ移動する給紙移動手段とを備えていることを特徴とする画像形成装置。
【請求項２】
前記排紙部は、
前記給紙線上に配置され、前記画像形成部により画像が形成された用紙を収容する主排紙手段と、
その主排紙手段が用紙を収容する位置に対し、前記給紙線と略直角な位置であって、前記副給紙手段と空間を空けて対向する位置に配置され、排紙された用紙を収容する副排紙手段と、
前記主排紙手段に所定量の用紙が収容された場合に、前記主排紙手段に収容された用紙を前記副排紙手段の用紙を収容する位置に向けて前記給紙線と略直角な方向へ移動する排紙移動手段とを備えていることを特徴とする請求項１記載の画像形成装置。
【請求項３】
前記副給紙手段は、隣り合う前記主給紙手段の反対の側面に給紙開口を有し、その給紙開口は、前記副給紙手段の用紙を収納する内部と外部とを連通するものであること特徴とする請求項１または２に記載の画像形成装置。
【請求項４】
前記給紙移動手段は、前記副給紙手段に収容されている用紙を前記主給紙手段へ移動する押圧板と、前記副給紙手段に収容されている用紙を移動する際には、前記押圧板を略垂直に支持し、前記副給紙手段に収容されている用紙の移動を開始する直前の位置において、前記給紙開口内に回動可能なように前記押圧板を支持する支持手段とを備えていること特徴とする請求項３記載の画像形成装置。
【請求項５】
前記副排紙手段は、隣り合う前記主排紙手段の反対の側面に排紙開口を有し、その排紙開口は、前記副排紙手段の用紙を収納する内部と外部とを連通するものであること特徴とする請求項２から４のいずれかに記載の画像形成装置。
【請求項６】
インクカートリッジが着脱自在に装着されるカートリッジ装着手段を備え、
前記画像形成部は、前記インクカートリッジに貯留されたインクを用紙へ吐出することにより画像を形成するものであり、
前記カートリッジ装着手段が前記副給紙手段と前記副排紙手段とが挟む空間に配置されていることを特徴とする請求項３から５のいずれかに記載の画像形成装置。
【請求項７】
前記給紙開口の開口面に略平行な正面パネルを備え、その正面パネルには、前記カートリッジ装着手段のインクカートリッジが挿脱される開口部と前記操作子および前記表示器とが形成されていることを特徴とする請求項３から６のいずれかに記載の画像形成装置。
【発明の詳細な説明】
【技術分野】
【０００１】
本発明は、画像形成装置に関し、特に画像形成装置を設置する際に空間の利用効率が良い画像形成装置に関するものである。
【背景技術】
【０００２】
複写機、ファクシミリ、プリンタ等の画像形成装置では、画像が形成される用紙を画像形成部に供給する給紙手段と、画像形成部において画像が形成された用紙を排紙する排紙手段が備えられている。給紙手段が収容する用紙の量が少ないと、連続して画像を形成する場合に給紙手段へ用紙を補給する手間が増える。また排紙手段が収容する用紙の量が少ないと、排紙手段から用紙を取り出す手間が増える。この傾向は、高速で画像を形成するラインプリンタで特に顕著となる。よって、給紙手段においても排紙手段においても多量の用紙を収容することができることが好ましい。
【０００３】
特開平１１−２５５３４６号公報（特許文献１）に開示された発明では、第１の用紙収容部の用紙送出側と反対側に第２の用紙収容部を設け、第１の用紙収容部の用紙が無くなった場合は、第２の用紙収容部に収容されている用紙を第１の用紙収容部へ移動するように構成されている。よって、多量の用紙を収容することができる。
【特許文献１】特開平１１−２５５３４６号公報
【発明の開示】
【発明が解決しようとする課題】
【０００４】
特許文献１に開示された発明では、第１の用紙収容部と第２の用紙収容部と画像形成部とは、用紙が画像形成部へ供給される方向に並んで配置されるので、用紙が供給される給紙方向に長いスペースを必要とし、装置の幅寸法と奥行き寸法のバランスが悪く、その結果空間の利用効率が悪いという問題点があった。
【０００５】
本発明は、上記問題点を解決するためになされたものであり、装置の幅寸法と奥行き寸法とのバランスを取り空間の利用効率が良い画像形成装置を提供することを目的とする。
【課題を解決するための手段】
【０００６】
この目的を達成するために、請求項１記載の画像形成装置は、用紙に画像を形成する画像形成部と、その画像形成部に用紙を供給する給紙部と、前記画像形成部により画像が形成された用紙を収容し、前記画像形成部を挟んで前記給紙部とは反対側に配置された排紙部とを備えたものであって、前記画像形成部は、前記給紙部より用紙が給紙される経路を示す給紙線の延長方向へ画像が形成された用紙を排紙するものであり、前記給紙部は、前記給紙線上に配置され、前記画像形成部に供給される用紙を収容する主給紙手段と、その主給紙手段が用紙を収容している位置に対し、前記給紙線と略直角な位置に配置され、予備の用紙を収容する副給紙手段と、前記主給紙手段が収容している用紙が無くなった場合に、前記副給紙手段が収容している予備の用紙を前記主給紙手段の用紙を収容する位置に向けて前記給紙線と略直角な方向へ移動する給紙移動手段とを備えている。
【０００７】
なお、給紙線は、給紙部から画像形成部へ用紙が供給されるときに用紙が移動する経路を示す仮想の線である。
【０００８】
請求項２記載の画像形成装置は、請求項１記載の画像形成装置において、前記排紙部は、前記給紙線上に配置され、前記画像形成部により画像が形成された用紙を収容する主排紙手段と、その主排紙手段が用紙を収容する位置に対し、前記給紙線と略直角な位置であって、前記副給紙手段と空間を空けて対向する位置に配置され、排紙された用紙を収容する副排紙手段と、前記主排紙手段に所定量の用紙が収容された場合に、前記主排紙手段に収容された用紙を前記副排紙手段の用紙を収容する位置に向けて前記給紙線と略直角な方向へ移動する排紙移動手段とを備えている。
【０００９】
請求項３記載の画像形成装置は、請求項１または２に記載の画像形成装置において、前記副給紙手段は、隣り合う前記主給紙手段の反対の側面に給紙開口を有し、その給紙開口は、前記副給紙手段の用紙を収納する内部と外部とを連通するものである。
【００１０】
請求項４記載の画像形成装置は、請求項３記載の画像形成装置において、前記給紙移動手段は、前記副給紙手段に収容されている用紙を前記主給紙手段へ移動する押圧板と、前記副給紙手段に収容されている用紙を移動する際には、前記押圧板を略垂直に支持し、前記副給紙手段に収容されている用紙の移動を開始する直前の位置において、前記給紙開口内に回動可能なように前記押圧板を支持する支持手段とを備えている。
【００１１】
請求項５記載の画像形成装置は、請求項２から４のいずれかに記載の画像形成装置において、前記副排紙手段は、隣り合う前記主排紙手段の反対の側面に排紙開口を有し、その排紙開口は、前記副排紙手段の用紙を収納する内部と外部とを連通するものである。
【００１２】
請求項６記載の画像形成装置は、請求項３から５のいずれかに記載の画像形成装置において、インクカートリッジが着脱自在に装着されるカートリッジ装着手段を備え、前記画像形成部は、前記インクカートリッジに貯留されたインクを用紙へ吐出することにより画像を形成するものであり、前記カートリッジ装着手段が前記副給紙手段と前記副排紙手段とが挟む空間に配置されている。
【００１３】
請求項７記載の画像形成装置は、請求項３から６のいずれかに記載の画像形成装置において、前記給紙開口の開口面に略平行な正面パネルを備え、そのパネルには、前記カートリッジ装着手段のインクカートリッジが挿脱される開口部と前記操作子および前記表示器とが形成されている。
【発明の効果】
【００１４】
請求項１記載の画像形成装置によれば、画像形成部は、給紙部より用紙が給紙される経路を示す給紙線の延長方向へ画像が形成された用紙を排紙するものであり、給紙部は、給紙線上に配置される主給紙手段と、その主給紙手段が用紙を収容している位置に対し、給紙線と略直角な位置に配置さる副給紙手段とから成り、主給紙手段が収容している用紙が無くなった場合に、副給紙手段が収容している予備の用紙を主給紙手段の用紙を収容する位置に移動する給紙移動手段とを備えている。よって、給紙線上に、順に、排紙部、画像形成部、主給紙手段および副給紙手段を配置する場合に比べ、給紙線上の長さを長くしすぎることがなく、装置全体の幅寸法と奥行き寸法とのバランスを良くすることができる。したがって、空間の利用効率が良いという効果がある。
【００１５】
請求項２記載の画像形成装置によれば、請求項１記載の画像形成装置の奏する効果に加え、排紙部は、給紙線上に配置される主排紙手段と、その主排紙手段が用紙を収容する位置に対し、給紙線と略直角な位置であって副給紙手段と空間を空けて対向する位置に配置される副排紙手段とから成り、主排紙手段に所定量の用紙が収容された場合に、主排紙手段に収容された用紙を副排紙手段へ移動する排紙移動手段とを備えている。よって、給紙線上に、順に、副排紙手段、主排紙手段、画像形成部、主給紙手段および副給紙手段を配置する場合に比べ、給紙線上の長さを長くしすぎることがなく、装置全体の幅寸法と奥行き寸法とのバランスを良くすることができる。したがって、空間の利用効率が良いという効果がある。
【００１６】
請求項３記載の画像形成装置によれば、請求項１または２に記載の画像形成装置の奏する効果に加え、副給紙手段は、隣り合う主給紙手段の反対の側面に給紙開口を有し、その給紙開口は、副給紙手段の用紙を収納する内部と外部とを連通するものであるので、主給紙手段の給紙線方向の側面に開口を設けたり、副給紙手段の給紙線方向に平行な方向の側面に開口を設ける場合のように、ユーザによる給紙作業を給紙線方向の側から行わせることにはならず、画像形成装置の設置と使用に要する空間をまとまった空間に収めることができるという効果がある。
【００１７】
請求項４記載の画像形成装置によれば、請求項３記載の画像形成装置の奏する効果に加え、押圧板は、支持手段により、副給紙手段に収容されている用紙を主給紙手段へ移動する際には、押圧板を略垂直に支持されるので、用紙を副給紙手段から主給紙手段へ移動することができる。また、押圧板は、支持手段により副給紙手段に収容されている用紙の移動を開始する直前の位置において、給紙開口内に回動可能なように支持されるので、給紙開口が大きく開放され、用紙を副給紙手段へ補給することができるという効果がある。
【００１８】
請求項５記載の画像形成装置によれば、請求項２から４のいずれかに記載の画像形成装置の奏する効果に加え、副排紙手段は、隣り合う主排紙手段の反対の側面に排紙開口を有し、その排紙開口は、副排紙手段の用紙を収納する内部と外部とを連通するものであるので、主排紙手段の給紙線方向の側面に開口を設けたり、副排紙手段の給紙線方向に平行な方向の側面に開口を設ける場合のように、ユーザによる給紙作業を給紙線方向の側から行わせることにはならず、画像形成装置の設置と使用に要する空間をまとまった空間に収めることができるという効果がある。
【００１９】
請求項６記載の画像形成装置によれば、請求項３から５のいずれかに記載の画像形成装置の奏する効果に加え、インクカートリッジが着脱自在に装着されるカートリッジ装着手段を備え、記画像形成部は、インクカートリッジに貯留されたインクを用紙へ吐出することにより画像を形成するものであり、カートリッジ装着手段が副給紙手段と副排紙手段とが挟む空間に配置されているので、カートリッジ装着手段の設置により装置が大型化することはなく、内部空間の利用効率の良いコンパクトな装置を提供することができる。
【００２０】
請求項７記載の画像形成装置によれば、請求項３から６のいずれかに記載の画像形成装置の奏する効果に加え、給紙開口の開口面に略平行な正面パネルを備え、その正面パネルには、カートリッジ装着手段のインクカートリッジが挿脱される開口部と操作子および表示器とが形成されているので、副給紙手段に用紙を補給したりインクカートリッジを交換した場合に、画像形成装置の同一側から操作子を操作し、その操作により設定された状態を表示器により確認することができるので、使い勝手が良いという効果がある。
【発明を実施するための最良の形態】
【００２１】
以下、本発明の好ましい実施形態について、添付図面を参照して説明する。図１（ａ）は、本発明の画像形成装置１の外観を概略的に示した斜視図であり、図１（ｂ）は、画像形成装置１の概略的な構成の配置を示した平面図である。本発明の画像形成装置１は、インクジェット方式により印刷を行う画像形成部２の片側（図１（ａ）において右側）に給紙部３が備えられ、他方の側には排紙部４が備えられている。画像形成部２正面には、正面パネル２ａが形成され、正面パネル２ａの上方の傾斜面に操作子２ｂと表示器２ｃとが備えられ、正面パネル２ａの垂直な前面パネルには、開口部２ｄが設けられている。
【００２２】
操作子２ｂは、画像形成を行う際に、画像形成の開始や停止、あるいは画像形成を行う用紙１６の数などを設定するものであり、表示器２ｃには、操作子２ｂにより設定された値や状態が表示される。また、表示器２ｃには、画像を形成する用紙１６が無くなったことや、画像が形成された用紙１６を収容するスペースが無くなったことが表示される。
【００２３】
画像形成部２の後部には、メイン給紙トレイ３ｃから給紙された用紙１６をインクヘッドへ導く給紙ローラ８ａと、その用紙１６に適切に印刷が行われるように用紙１６を搬送する搬送装置９と、その用紙１６に印刷を行うヘッドユニット１０と、印刷された用紙１６を排出する排紙ローラ８ｂとが配置されている。
【００２４】
給紙部３は、予備給紙トレイ３ｂとメイン給紙トレイ３ｃとにより構成され、メイン給紙トレイ３ｃに収容されている用紙１６が、矢印Ｂで示す経路により画像形成部２に供給される。この用紙１６が給紙される経路を示す仮想直線を給紙線という。
【００２５】
メイン給紙トレイ３ｃと予備給紙トレイ３ｂは、給紙線にほぼ直角な方向である矢印Ａ方向に沿って配置されている。メイン給紙トレイ３ｃに収容されている用紙１６が無くなると、予備給紙トレイ３ｂに収容されている用紙１６が、メイン給紙トレイ３ｃの収容位置に向けて矢印Ａに沿って移動される。予備給紙トレイ３ｂのメイン給紙トレイ３ｃと隣接する側面と反対側の側面（画像形成装置１の正面側となる面）には、予備給紙トレイ３ｂに用紙１６を補給するための開閉可能な給紙開口３ａが設けられている。
【００２６】
排紙部４は、給紙線とほぼ直角な方向である矢印Ｄ方向に沿って配置された予備排紙トレイ４ｂとメイン排紙トレイ４ｃとにより構成されている。画像形成部２において印刷された用紙１６は、給紙線の延長線上である矢印Ｃで示す経路によりメイン排紙トレイ４ｃに排紙される。すなわち、メイン給紙トレイ３ｃから画像形成部２に給紙された用紙１６は、方向を変えずに移動しながら画像形成が行われ、画像形成が行われた後も、方向を変えずにメイン排紙トレイ４ｃに排紙される。
【００２７】
メイン排紙トレイ４ｃに排紙された用紙１６が、所定量に達すると、矢印Ｄで示す経路（矢印Ａで示す経路と平行）により、予備排紙トレイ４ｂに移動される。予備排紙トレイ４ｂのメイン排紙トレイ４ｃと隣接する側面と反対側の側面（画像形成装置１の正面側となる面）には、予備排紙トレイ４ｂに積載された用紙１６を取り出すための開閉可能な排紙開口４ａが設けられている。
【００２８】
また、予備給紙トレイ３ｂと予備排紙トレイ４ｂとの間の空間には、インクカートリッジ５Ｋ（黒）、５Ｃ（シアン）、５Ｍ（マゼンタ）、５Ｙ（イエロー）と、パージ用ポンプ５と、電源６と、制御回路基板７と、ヘッドユニット１０の一部分とが配置されている。
【００２９】
インクカートリッジ５Ｋ，５Ｃ，５Ｍ，５Ｙは、インクヘッド１１，１２（図２参照）へインクを供給するためのインクを貯留する容器であり、着脱自在にインクカートリッジ装着装置（図示せず）に装着されている。これらのインクカートリッジ５Ｋ，５Ｃ，５Ｍ，５Ｙを交換する場合は、正面パネル２ａに形成された開口部２ｄを開けることにより行われる。パージ用ポンプ５は、インクヘッド１１，１２内の高粘度化したインクや、発生した気泡を除去するためインクに圧力をかけるためのポンプである。
【００３０】
電源６は、交流電源を整流するなどして制御回路基板７や各種モータなどに駆動電力を供給するものである。制御回路基板７は、主制御基板７０（図８参照）や、用紙１６の給紙、排紙などの制御を行う制御回路から構成されている。
【００３１】
したがって、画像形成装置１に印刷を行う用紙１６を補給する場合には、正面右側の給紙部３に設けられた給紙開口３ａを開けて用紙１６を補給し、印刷された用紙１６を取り出す場合は、正面左側の排紙部４に設けられた排紙開口４ａを開けて用紙１６を取り出すことができる。
【００３２】
また、インクカートリッジ５Ｋ，５Ｃ，５Ｍ，５Ｙを交換する場合にも、正面側に設けられた開口部２ｄを通じてこれらの装着と離脱を行うことができる。このように、これらの作業は、操作子２ｂの操作と同様に全て画像形成装置１の正面側から行うことができるので、作業性が良いとともに、画像形成装置１の両側側面及び背面には、他の物を配置することができるので、装置周りの空間の利用効率がよい。
【００３３】
次に、図２を参照して画像形成部２について説明する。図２は、画像形成部２の内部を示す斜視図である。給紙部３（図１参照）から給紙された用紙１６は、給紙ローラ８ａによりガイドされて搬送装置９に搬送される。搬送装置９は、ローラ１５ａ，１５ｂに掛架されたベルトにより構成され、ローラ１５ａ，１５ｂは、モータ８０（図８参照）により駆動され、用紙１６に画像が形成されるように用紙１６を搬送し、画像が形成された用紙１６は、排紙ローラ８ｂによりガイドされて排紙部４（図１参照）に送出される。
【００３４】
ヘッドユニット１０には、２組のインクヘッド１１，１２とキャップユニット３１とインクヘッド１１，１２を搬送装置９と対向する位置とキャップユニット３１によりキャップされる位置との間で移動させるヘッド移動機構とが備えられている。インクトヘッド１１は、各色ごとのヘッドとして、イエローインクを吐出するイエロー用ヘッド１１Ｙ、マゼンタインクを吐出するマゼンタ用ヘッド１１Ｍ、シアンインクを吐出するシアン用ヘッド１１Ｃ、ブラックインクを吐出するブラック用ヘッド１１Ｋから構成されている。これら各インクヘッドは、ライン型のインクヘッドであって、そのインクヘッドのインクに対応したインクカートリッジ５Ｙ，５Ｍ，５Ｃ，５Ｋと図示しないチューブを介して接続されており、インクヘッドからインクが吐出されてインクが減少すると、その減少したインク分がインクカートリッジ５Ｋ，５Ｃ，５Ｍ，５Ｙからチューブを介して充填される。インクヘッド１２は、インクヘッド１１と同様の構成であるため、その説明は省略する。
【００３５】
用紙１６に所望の印刷を行う場合のインクヘッド１１、１２の配置は、図２に示すように、用紙１６の搬送方向において互いの一端部同士が重なった状態で配置されている。これは、インクヘッド１１，１２との間で隙間なく印刷を行うためである。
【００３６】
キャップユニット３１は、未使用時にインクヘッド１１，１２の吐出面を封止することにより、吐出口内部のインク液滴の乾燥による吐出不良の発生を防止し、インクヘッド１１，１２を良好な状態に維持するためのものである。  そのキャップユニット３１は、用紙１６の幅方向で搬送装置９の側方となる位置、すなわち予備給紙トレイ３ｂと予備排紙トレイ４ｂとの間の空間に配設されており、インクヘッド１１，１２に対応した大きさで構成されている。キャップユニット３１の上面には、インクヘッド１１の各インクヘッド１１Ｙ，１１Ｍ，１１Ｃ，１１Ｋに対応して、吐出面を封止するキャップ部１３Ｙ，１３Ｍ，１３Ｃ，１３Ｋが配置され、インクヘッド１２の各ヘッド１２Ｙ，１２Ｍ，１２Ｃ，１２Ｋに対応して、キャップ部１４Ｙ，１４Ｍ，１４Ｃ，１４Ｋが配置されている。
【００３７】
尚、図２に示されるように、これら８個のキャップ部１３Ｙ〜１３Ｋ，１４Ｙ〜１４Ｋは、用紙１６の搬送方向に並んだ状態で一体化されており、これによりキャップユニット３１が構成されている。キャップユニット３１は、ヘッドユニット１０よりも下方となる位置に待機しており、インクヘッド１１，１２を封止する際に上昇して各インクヘッド１１，１２を封止するように構成されている。
【００３８】
これらのキャップ部１３Ｙ〜１４Ｋは、図示しない排インクチューブを介して、パージ用ポンプ５と接続されており、インクヘッド１１Ｙ〜１２Ｋの吐出面を封止した状態でパージ用ポンプ５を駆動することでいわゆる吸引パージを行うことができる。
【００３９】
次に、インクヘッド１１，１２をキャップユニット３１の位置へ移動させるヘッド移動機構について説明する。図２に示すように、モータ２１は、ヘッドユニット１０の下方でインクカートリッジ５Ｙ，５Ｍ，５Ｃ，５Ｋと制御回路基板７とに挟まれた位置に配置されている。そのモータ２１のプーリ２９とインクヘッド１１，１２を往復動作するための駆動軸２３とはベルト２２により連結されている。モータ２１の駆動力は、ベルト２２を介して駆動軸２３に伝達される。駆動軸２３は、第１クラッチを有するプーリ３２と連結されており、そのプーリ３２は、プーリ２８と第１ベルト２６により連結されると共に第２クラッチを有するプーリ３３に駆動力を伝達する回転軸３６と連結されている。この第１クラッチを有するプーリ３２は、第１ベルト２６と回転軸３６とに駆動力を伝達するか否かを機械的に切り替えることができる。
【００４０】
第２クラッチを有するプーリ３３は、回転可能に構成されたプーリ２７と第２ベルト２５により連結されており、第２クラッチを有するプーリ３３は、回転軸３６に伝達された駆動力を第２ベルト２５に伝達するか否かを機械的に切り替えることができる。
【００４１】
インクヘッド１１は、２つのベルト固定部材１１ａ，１１ｂによって第２ベルト２５に固定されており、図示しないガイド部材によってガイド軸３４ａにガイドされるよう取り付けられると共にガイド部材１１ｃによってガイド軸３４ｂにガイドされるよう取り付けられている。そのため、インクヘッド１１は、第２ベルト２５が駆動されると、ガイド軸３４ａ，３４ｂにガイドされながら、用紙１６の幅方向に往復動作される。
【００４２】
インクヘッド１２は、２つのベルト固定部材１２ａ，１２ｂによって第１ベルト２６に固定されており、図示しないガイド部材によってガイド軸３４ｃにガイドされるよう取り付けられると共にガイド部材１２ｃによってガイド軸３４ｂにガイドされるよう取り付けられている。そのため、インクヘッド１２は、第１ベルト２６が駆動されると、ガイド軸３４ｂ，３４ｃにガイドされながら、用紙１６の幅方向に往復動作される。
【００４３】
インクヘッド１１，１２の吐出口をキャップユニット３１で封止する場合には、第１クラッチを駆動力が伝達できる状態に切り替えると共に第２クラッチを駆動力が伝達しない状態に切り替えて、モータ２１を駆動する。
【００４４】
記録位置に位置する状態からモータ２１を駆動すると、インクヘッド１２がキャップユニットの３１方向へ移動され、インクヘッド１２がインクヘッド１１と用紙１６の搬送方向において並んだ位置関係となる。次に、第２クラッチを駆動力が伝達できる状態に切り替えて、インクヘッド１１，１２を一体的にキャップユニット３１方向へ移動する。
【００４５】
インクヘッド１１，１２がキャップユニット３１方向へ移動されるとキャップユニット３１は、上方向に移動して各ヘッド１１，１２のインク吐出面をその吐出面に対応したキャップ部１３Ｙ〜１３Ｋ，１４Ｙ〜１４Ｋで封止する。
【００４６】
一方、記録を再開させる場合は、インクヘッド１１，１２を記録位置に戻すべく移動させるとともに、キャップユニット３１を、下方向に移動して退避させる。
【００４７】
次に、図３を参照して、給紙部３について説明する。図３は、図１における給紙部３の内部を示す斜視図である。なお、図３では、給紙部３の給紙線方向の右側板、給紙部３の上部を覆う上板および給紙開口３ａが形成された正面板を省略した状態を示している。
【００４８】
給紙部３は、画像形成部２と左側板５０を挟んで隣接し、ロック部材４４，４５により予備給紙トレイ３ｂとメイン給紙トレイ３ｃとに仕切られている。予備給紙トレイ３ｂは、給紙開口３ａ側（正面側）に位置し、メイン給紙トレイ３ｃは、給紙開口３ａに対して、後ろ側に位置するものである。
【００４９】
予備給紙トレイ３ｂには、用紙１６を移動させる押圧板４３が備えられ、底板４１には、押圧板４３が移動する際に、押圧板４３を支持する支持部材４３ｃが通過する溝４１ａ，４１ｂが、左側板５０に平行に形成されている。また、底板４１には、予備給紙トレイ３ｂにおける用紙１６の有無を検出するセンサ４２が設けられている。
【００５０】
押圧板４３は、予備給紙トレイ３ｂに収容された用紙１６をメイン給紙トレイ３ｃへ移動する際には、底板４１に対して垂直に直立する状態を維持されるが、予備給紙トレイ３ｂに、用紙１６を補給する際には、給紙開口３ａを通じて装置の正面側に倒れる方向に回動するよう構成されている。図３は、押圧板４３が装置の正面側に倒れるまで回動して給紙開口３ａが開放され、予備給紙トレイ３ｂと装置外部とが給紙開口３ａを通じて連通している状態を示している。
【００５１】
メイン給紙トレイ３ｃには、画像形成部２に用紙１６を給紙する際に、用紙１６を下方から上昇させるリフト４６と、そのリフト４６の上に用紙１６が有るか否かを検出するセンサ４７と、リフト４６により持ち上げられた用紙１６を画像形成部２（図１参照）へ送り出すピックアップローラ４９と、そのピックアップローラ４９により送り出された用紙１６が、スムーズに画像形成部２に送り出されるようにガイドするガイド板５１とが備えられている。左側板５０には、リフト４６が移動する際に、リフト４６を支持する支持部材が通過する溝５０ａ，５０ｂが、垂直方向に形成されている。リフト４６は、モータ８２（図８参照）により、上下に往復動される。
【００５２】
ピックアップローラ４９を支持しているアームには、図示しないセンサが設けられ、アームが所定の角度より大きく下方に傾くと、リフト４６が所定量だけ上昇し、適切に用紙１６が画像形成部２に送られるように構成されている。
【００５３】
ロック部材４４，４５は、予備給紙トレイ３ｂおよびメイン給紙トレイ３ｃに収容された用紙１６をガイドするもので、予備給紙トレイ３ｂに収容された用紙１６が、メイン給紙トレイ３ｃへ移動される際には、ロック部材４４，４５に形成される平面が左側板５０と平行になるように、ロック部材４４，４５が図示しないモータにより回転される。左側板５０には、ロック部材４５が回転可能なように開口５０ｃが形成されている。メイン給紙トレイ３ｃの予備給紙トレイ３ｂとの反対側には後部板４８が形成され、底板４１の下部には、押圧板４３を駆動する駆動機構を覆うカバー５２が形成されている。
【００５４】
次に、図４を参照して、押圧板４３を駆動する機構と、押圧板４３が給紙開口３ａを通じて回動する機構について説明する。図４（ａ）は、図３におけるＦ−Ｆ線断面図である。ただし、図３では、押圧板４３が装置の正面側に倒れきった状態を示すが、図４（ａ）では、押圧板４３が、装置の正面側に倒れきった状態を二点鎖線で示し、直立している状態を実線で示している。図４（ｂ）は、図４（ａ）におけるＥ−Ｅ線断面図である。
【００５５】
押圧板４３を支持する支持部材４３ｃは、Ｌ字型の形状を有し、Ｌ字の垂直な部材には押圧板４３が固着され、水平な部材には、ピン４３ａとピン４３ｂとが形成されている。これらのピン４３ａ，４３ｂは、底板４１に固着されガイド部材５５に形成された溝５５ａ内に摺動自在に挿入されている。
【００５６】
ガイド部材５５は、プーリ５３ａとプーリ５３ｂとの間に掛架されたベルト５４の直線部分に平行に、かつベルト５４の両側に設けられている。ピン４３ａは、このベルト５４に固着され、モータ８７（図８参照）によりプーリ５３ａが駆動されると、ベルト５４が水平方向に移動し、押圧板４３は、垂直に直立したまま移動される。
【００５７】
一方、ピン４３ｂは、ベルト５４に固着されておらず、溝５５ａは、正面側（図４（ａ）の左方）の終端において、ほぼ半円の円弧を描くように形成されている。したがって、ピン４３ｂを溝５５ａに沿って移動させると、押圧板４３は、給紙部３の給紙開口３ａを通過して、装置外側に向けて回動させることができる（図４（ａ）に二点鎖線で示す）。
【００５８】
次に、上記のように構成された給紙部３において、メイン給紙トレイ３ｃに収容していた用紙１６が無くなり、予備給紙トレイ３ｂに収容されている用紙１６が移動される動作を図５を参照して説明する。
【００５９】
図５（ａ），（ｂ），（ｃ）は、いずれも左側の図は、給紙部３の平面図であり、右側の図は、その平面図におけるＸ−Ｘ線断面図である。図５（ａ）は、メイン給紙部３ｃに収容されていた用紙１６が無くなり、予備トレイ３ｂに用紙１６が収容されている状態を示すものである。この状態では、メイン給紙トレイ３ｃのリフト４６は最も高い位置まで上昇しており、ロック部材４４，４５は、ロック部材に４４，４５に形成されている平面が、給紙線と平行になる位置に設定されている。
【００６０】
この状態から、リフト４６が最も低い位置に下降され、ロック部材４４は、時計回り（図５に示すように給紙部３を上方から見た場合）に９０度、ロック部材４５は、反時計回りに９０度回転される。
【００６１】
次に図５（ｂ）に示すように、リフト４６が下降しメイン給紙トレイ３ｃと予備給紙トレイ３ｂとが同一平面に配置され、ロック部材４４，４５が９０度回転されると押圧板４３がベルト５４により駆動され、用紙１６は、押圧板４３により押されてメイン給紙トレイ３ｃ方向へ移動される。
【００６２】
次に図５（ｃ）に示すように、用紙１６がメイン給紙トレイ３ｃに移動されると、ロック部材４４は、時計回りに９０度、ロック部材４５は、反時計回りに９０度回転され、押圧板４３は、ベルト４３が前回とは反対方向へ移動することにより駆動され、給紙開口３ａに隣り合う位置へ戻される。
【００６３】
次に、図６を参照して、排紙部４について説明する。図６は、図１における排紙部４の内部を示す斜視図であり、排紙部４の給紙線方向の側板および排紙部４の上部を覆う上板を省略し、排紙開口４ａを取り外した状態を示している。
【００６４】
排紙部４は、画像形成部２と右側板６０を挟んで隣接し、ロック部材６５，６６により予備排紙トレイ４ｂとメイン排紙トレイ４ｃとに仕切られている。予備排紙トレイ４ｂは、排紙開口４ａ側（正面側）に位置し、メイン排紙トレイ４ｃは、排紙開口４ａに対して、後ろ側に位置するものである。
【００６５】
予備排紙トレイ４ｂには、予備排紙トレイ４ｂに、用紙１６が有るか否かを検出するセンサ６８が備えられている。
【００６６】
メイン排紙トレイ４ｃは、画像形成部２において印刷された用紙１６を収容する部分であり、メイン排紙トレイ４ｃの上方の右側板６０には、センサ６７が設けられ、メイン排紙トレイ４ｃの、予備排紙トレイ４ｂとの反対側の後部板６３に隣接して、押圧板６４が立設されている。この押圧板６４は、予備給紙トレイ３ｂに設けられている押圧板４３と同様に、メイン排紙トレイ４ｃに収容された用紙１６を予備排紙トレイ４ｂの用紙収容位置に向けて給紙線と略直角な方向に移動するものである。排紙部４の底板６１には、押圧板６４が移動する際に、押圧板６４を支持する支持部材（図示せず）が通過する溝６１ａ，６１ｂが、右側板６０に平行に形成されている。
【００６７】
支持部材は、給紙部３と同様に２つのプーリ９１ａ，９１ｂ（図７参照）の間に掛架されたベルト９０に固着され、ベルトはモータ８９（図８参照）により駆動される。
【００６８】
ロック部材６５，６６は、予備排紙トレイ４ｂおよびメイン排紙トレイ４ｃに収容された用紙１６を、ガイドするもので、メイン排紙トレイ４ｃに収容された用紙１６が、予備排紙メイン給紙トレイ３ｂへ移動される際には、ロック部材６５，６６を形成する平面が右側板６０と平行になるように、図示しないモータにより回転される。右側板６０には、ロック部材６６が回転可能なように開口６０ａが形成されている。底板６１の下部には、押圧板６４を駆動する駆動機構を覆うカバー６２が形成されている。
【００６９】
次に、図７を参照して、上記のように構成された排紙部４において、メイン排紙トレイ４ｃに収容された用紙１６が、所定量に達し、予備排紙トレイ４ｂに移動される動作を説明する。
【００７０】
図７（ａ），（ｂ），（ｃ）は、いずれも左側が排紙部４の平面図であり、右側がその平面図におけるＹ−Ｙ線断面図である。
【００７１】
図７（ａ）は、メイン排紙部４ｃに収容された用紙１６が所定量に達したことが、センサ６７により検出され、予備排紙トレイ４ｂのセンサ６８は、予備排紙トレイ４ｂには、用紙１６がないことを検出した状態を示している。この状態では、ロック部材６５，６６は、ロック部材に６５，６６に形成されている平面が、給紙線と平行になる位置に設定されている。
【００７２】
この状態から、ロック部材６５は、時計回り（図７に示すように排紙部４を上方から見た場合）に９０度、ロック部材６６は、反時計回りに９０度回転される。
【００７３】
次に、図７（ｂ）に示すように押圧板６４がベルト９０により駆動され、用紙１６は、押圧板６４により押されて予備排紙トレイ４ｂの方へ移動される。
【００７４】
次に、図７（ｃ）に示すように、用紙１６が予備排紙トレイ４ｂに移動された後、ロック部材６５は、時計回りに９０度、ロック部材６６は、反時計回りに９０度回転され、押圧板６４は、ベルト９０が前回とは反対方向へ移動することにより駆動され、後部板６３に隣接する位置へ戻される。
【００７５】
次に、図８を参照して画像形成装置１の電気的構成について説明する。図８は、画像形成装置１の電気回路構成の概略を示すブロック図である。図８に示すように、画像形成装置１は、主制御基板７０と、記録ヘッド１１，１２を制御するための副制御基板７１とを備えている。
【００７６】
主制御基板７０には、１チップ構成のマイクロコンピュータ（ＣＰＵ）７２と、そのＣＰＵ７２により実行される各種の制御プログラムなどの固定値データを記憶した書換不可能なメモリであるＲＯＭ７４と、各種のデータ等を一時的に記憶する書換可能な揮発性のメモリであるＲＡＭ７３と、ゲートアレイ（Ｇ／Ａ）７６などが搭載されており、これらＣＰＵ７２と、ＲＯＭ７４、ＲＡＭ７３及びゲートアレイ７６とは、バスライン７５を介して接続されている。
【００７７】
演算装置であるＣＰＵ７２は、ＲＯＭ７４に記憶された制御プログラムに従い、各種処理を実行するものである。また、印字タイミング信号およびリセット信号を生成し、各信号を後述するゲートアレイ７６へ転送する。
【００７８】
また、このＣＰＵ７２には、ユーザが印刷の指示などを行うための操作子２ｂ、その操作子により設定された状態を表示する表示器２ｃ、給紙部３に設けられたセンサ４２，４７および排紙部４に設けられたセンサ６７，６８、搬送ベルト８を駆動するためのモータ８０を駆動するためのモータ駆動回路８１、予備給紙トレイ３ｂに収容されている用紙１６をメイン給紙トレイ３ｃへ移動するモータ８７を駆動するためのモータ駆動回路８６、メイン排紙トレイ４ｃに収容されている用紙１６を予備排紙トレイ４ｂへ移動するモータ８９を駆動するためのモータ駆動回路８８、インクヘッド１１，１２を移動するモータ２１を駆動するためのモータ駆動回路８５、リフト４６を移動するモータ８２を駆動するためのモータ駆動回路８３などが接続されている。なお、ロック部材４４，４５，６４，６５を駆動するモータおよびこれらのモータを駆動する駆動回路については、図示を省略する。
【００７９】
ゲートアレイ７６は、ＣＰＵ７２から転送される印字タイミング信号と、イメージメモリ７７に記憶されている画像データとに基づいて、その画像データを用紙１６に印刷するための印刷データ（駆動信号）と、その印刷データと同期する転送クロックと、ラッチ信号と、基本印字波形信号を生成するためのパラメータ信号と、一定周期で出力される噴射タイミング信号とを出力し、それら各信号を、ヘッドドライバが実装された副制御基板７１側へ転送する。
【００８０】
また、ゲートアレイ７６は、コンピュータなどの外部機器からインターフェース（Ｉ／Ｆ）７９を介して転送されてくる画像データを、イメージメモリ７７に記憶させる。そして、ゲートアレイ７６は、ホストコンピュータなどからインターフェース７９を介して転送されてくるデータに基づいてデータ受信割込信号を生成し、その信号をＣＰＵ７２へ転送する。
【００８１】
副制御基板７１は、実装されたヘッドドライバ（駆動回路）によって記録ヘッド１１，１２を駆動するための基板である。このヘッドドライバは、主制御基板７０に実装されたゲートアレイ７６を介して制御され、記録モードに合った波形の駆動パルスを記録ヘッド１１，１２の各駆動素子に印加するものである。これにより、インクがノズルから記録媒体へ向けて所定量吐出される。
【００８２】
次に、以上説明したように構成された画像形成装置１において、ＣＰＵ７２により処理される用紙１６の移動処理について、図９に示すフローチャートを参照して説明する。図９は、図示しないＣＰＵ７２により処理されるメイン処理のサブルーチンとしての、給紙部３および排紙部４における用紙１６の移動処理を示すものである。
【００８３】
まず、メイン給紙トレイ３ｃに設けられているセンサ４７によりメイン給紙トレイ３ｃに用紙１６が有るか否かを検出する（Ｓ１）。メイン給紙トレイ３ｃに、用紙１６が有る場合は（Ｓ１：Ｙｅｓ）、Ｓ１１の処理へ進み、用紙１６が無い場合は（Ｓ１：Ｎｏ）、モータ８２を駆動するためのモータ駆動回路８３を制御してリフト４６を降下させ、リフト４６に用紙１６を積載するメイン給紙トレイ３ｃの面と、予備給紙トレイ３ｂの面とを一致させる（Ｓ２）。同時にロック部材４４，４５をそれぞれ９０度回転させる。
【００８４】
次に、予備給紙トレイ３ｂに設けられているセンサ４２により予備給紙トレイ３ｂに用紙１６が収容されているか否かを検出する（Ｓ３）。予備給紙トレイ３ｂに用紙１６が収容されている場合は（Ｓ３：Ｙｅｓ）、モータ８７を駆動するためのモータ駆動回路８６を制御して押圧板４３を移動し予備給紙トレイ３ｂに収容されている用紙１６をメイン給紙トレイ３ｃへ移動する（Ｓ４）。
【００８５】
移動が完了した場合は、ロック部材４４，４５をそれぞれ９０度回転し、モータ駆動回路８６を制御して押圧板４３を元の位置に戻し、この移動処理を終了してメイン処理に戻る（リターン）。
【００８６】
一方、Ｓ３の検出処理により予備給紙トレイ３ｂに用紙１６が収容されていないと検出した場合は（Ｓ３：Ｎｏ）、表示器２ｃに、用紙１６が無いことを表示し（Ｓ５）この移動処理を終了してメイン処理に戻る。
【００８７】
Ｓ１の処理で、メイン給紙トレイ３ｃに、用紙１６が収容されていると検出された場合は（Ｓ１：Ｙｅｓ）、メイン排紙トレイ４ｃに設けられているセンサ６７により、メイン排紙トレイ４ｃに所定量の用紙１６が収容されたか否かを検出する（Ｓ１１）。
【００８８】
メイン排紙トレイ４ｃに所定量の用紙１６が収容された場合は（Ｓ１１：Ｙｅｓ）、画像形成部２における画像形成処理を一旦停止し（Ｓ１２）、予備排紙トレイ４ｂに設けられているセンサ４８により、予備排紙トレイ４ｂに用紙１６が収容されているか否かを検出する（Ｓ１３）。        
予備排紙トレイ４ｂに用紙１６が収容されていない場合は（Ｓ１３：Ｎｏ）、ロック部材６５，６６をそれぞれ９０度回転し、次にモータ８９を駆動するためのモータ駆動回路８８を制御して押圧板６４を移動し、メイン排紙トレイ４ｃに収容されている用紙１６を予備排紙トレイ４ｂへ移動する（Ｓ１４）。  移動が完了すると、ロック部材６５，６６をそれぞれ９０度回転し、画像形成部２における画像形成処理を再開する（Ｓ１５）。同時にモータ駆動回路８８を制御して押圧板６４を元の位置に戻し、この移動処理を終了してメイン処理に戻る。
【００８９】
一方、Ｓ１３の処理により予備排紙トレイ４ｂに用紙１６が収容されていると検出した場合は（Ｓ１３：Ｎｏ）、表示器２ｃに、メイン排紙トレイ４ｃおよび予備排紙トレイ４ｂに用紙１６が収容されているために、これ以上印刷が行えない旨の警告を表示し（Ｓ１６）この移動処理を終了してメイン処理に戻る。
【００９０】
Ｓ１１の処理で、メイン排紙トレイ４ｃに所定量の用紙１６が収容されていないと判断された場合は（Ｓ１１：Ｎｏ）、この移動処理を終了してメイン処理に戻る。
【００９１】
以上説明したように、第１の実施形態によれば、画像形成装置１は、画像形成部２の一方の側に給紙部３を、他方の側に排紙部４を備え、給紙部３は、正面側に予備給紙トレイ３ｂを、その後部側にメイン給紙トレイ３ｃを配置し、メイン給紙トレイ３ｃに収容されている用紙１６が画像形成部２に給紙され、印刷が行われる。そして、メイン給紙トレイ３ｃに収容されている用紙１６が無くなると、予備給紙トレイ３ｂに収容されている用紙１６がメイン給紙トレイ３ｃに移動され、再びメイン給紙トレイ３ｃから、画像形成部２へ給紙が行われる。
【００９２】
一方、排紙部４は、画像形成部２において印刷された用紙１６を収容し、メイン給紙トレイ３ｃと画像形成部２を挟んで対向する位置に配置されたメイン排紙トレイ４ｃと、そのメイン排紙トレイ４ｃの正面側に予備排紙トレイ４ｂと配置し、メイン排紙トレイ４ｃに所定量の用紙１６が収容されると、その用紙１６を予備排紙トレイ４ｂに移動される。
【００９３】
したがって、画像形成部２へ用紙１６が給紙される方向である給紙線上にメイン給紙トレイとそのメイン給紙トレイに用紙１６を供給する予備給紙トレイとを配置する場合に比べ、給紙線上の長さが短くなり、装置の幅寸法と奥行き寸法とのバランスを良くすることができる。したがって、画像形成装置を配置する空間を有効に利用することができる。
【００９４】
また、予備給紙トレイ３ｂと予備排紙トレイ４ｂとに挟まれる空間には、インクカートリッジ５Ｋ，５Ｃ，５Ｍ，５Ｙとこれらが装着されるインクカートリッジ装着装置と、パージ用ポンプ５と、電源６と、制御回路基板７と、ヘッドユニット１０の一部であるキャップユニット３１が設置されているので、これらの設置が装置の大型化を招くことにはならず、装置を構成する各要素が効率良く集約して配置される。よって、装置の内部空間の利用効率が良いコンパクトな画像形成装置１を提供することができる。
【００９５】
また、予備給紙トレイ３ｂは、メイン給紙トレイ３ｃとは反対側の側面に給紙開口３ａを有しており、予備排紙トレイ４ｂは、メイン排紙トレイ４ｃとは反対側の側面に排紙開口４ａを有しているため、予備給紙トレイ３ｂに用紙１６を補給する作業および予備排紙トレイ４ｂから用紙１６を取り出す作業を給紙線と直角な方向から行っている。
【００９６】
これにより、メイン給紙トレイ３ｃ，画像形成部２、およびメイン排紙トレイ４ｃが並んで配置されて装置が長尺化する給紙線方向には、ユーザによる用紙１６の補給作業と取り出し作業にスペースを要しないように構成できる。従って、装置の設置と補給作業などを含む装置の使用に要する占有スペースを、幅寸法（給紙線方向の寸法）と奥行き寸法（給紙線と直角な方向の寸法）とのバランスの良いものとすることができ、空間の利用効率を向上させることができる。
【００９７】
また、ユーザは、操作子２ｂを操作する場合、予備給紙トレイ３ｂに用紙１６を補給する場合、予備排紙トレイ４ｂから用紙１６を取り出す場合、およびインクカートリッジ５Ｋ，５Ｃ，５Ｍ，５Ｙを交換する場合のいずれにおいても、画像形成装置１の正面側からの作業でこれらを行うことができるため、作業性に優れた画像形成装置１を提供することができる。
【００９８】
次に、図１に示す給紙部３に収容される用紙がロール紙である第２の実施形態の画像形成装置１について図１０及び図１１を参照して説明する。第２実施形態は、給紙部３以外の構成は、第１の実施形態と同一であるため、同一部品には同一符号を付して重複説明は省略し、特徴点のみ説明する。
【００９９】
図１０は、図１における給紙部３の内部であって、用紙としてロール紙１１０を収容する給紙部３の構成を示す斜視図である。図１０は、メインロールホルダ１０６に収容されていたロール紙１１０が無くなり、予備ロールホルダ１０１にロール紙１１０が収容されている状態を示している。
【０１００】
第１の実施形態と同様に、この第２の実施形態においてもメインロールホルダ１０６から画像形成部２へ給紙が行われ、メインロールホルダ１０６に収容されているロール紙１１０が無くなると、予備ロールホルダ１０１に収容されているロール紙１１０が、メインロールホルダ１０６に移動される。
【０１０１】
したがって、予備ロールホルダ１０１は、画像形成装置１の正面側に配置され、メインロールホルダ１０６は、後部に配置されている。メインロールホルダ１０６は、画像形成部２の右側板１０３に垂直に立設された長方形の板状をなし、ロール紙１１０を回転自在に装着するロール軸１０７を有する。このロール軸１０７は、ロール紙１１０を使用し終えた場合に残る芯を除去するために、下方に傾斜するように構成されている(図１１(a)参照）。ロール軸１０７を傾斜させるには、プランジャーなどを用いることができる。
【０１０２】
メインロールホルダ１０６の上部であって画像形成部２へロール紙１１０を送り出す部分には、用紙ガイド１０５が固着されている。この用紙ガイド１０５は、ロール紙１１０の一端を挟むように溝が形成されている。
【０１０３】
予備ロールホルダ１０１は、予備のロール紙１１０を収容し、メインロールホルダ１０６に収容されているロール紙１１０が無くなると、予備のロール紙１１０を、メインロールホルダ１０６に移動して装着するように構成されている。
【０１０４】
予備ロールホルダ１０６は、第１の実施形態における押圧板４３，６４と同様に、図示しない２つの支持部材に支持され、支持部材は、ベルトに固着され、ベルトは、モータにより駆動される。２つの支持部材は、画像形成部２と給紙部３とを隔てる右側板１０３に形成された溝１０３ａ，１０３ｂに沿って移動する。
【０１０５】
予備ロールホルダ１０６には、ロール紙１１０を回転自在に装着するロール軸１０８（図１１参照）と、予備ロールホルダ１０６の上部にロール紙１１０を挟む用紙ガイド１０２が固着されている。この用紙ガイド１０２は、用紙ガイド１０５と同様に、ロール紙１１０の一端を挟むように溝が形成されている。
【０１０６】
給紙部３のほぼ中央には、ロール紙１１０のロール端をガイドするとともに、予備ロールホルダ１０１が予備のロール紙１１０をメインロールホルダ１０６に装着した後、そのロール紙１１０を予備ロールホルダ１０１から分離させるための分離板１０４が備えられている。この分離板１０４は、図示しないモータにより駆動されて回動するように構成され、常態ではロール紙１１０のロール端をガイドする位置（図１０の常態）に設置され、予備ロールホルダ１０１がメインロールホルダ１０６の方へ移動する場合には、上方に回動される（図１１（ｂ）参照）。
【０１０７】
図１１（ａ），（ｂ），（ｃ）は、メインロールホルダ１０６に収容されているロール紙１１０が無くなり、予備ロールホルダ１０１に収容されているロール紙１１０が、メインロールホルダに移動される様子を順に示すものである。これらの図１１（ａ），（ｂ），（ｃ）は、いずれも左側の図が給紙部３の正面図であり、右側の図は、その正面図におけるＺ−Ｚ線断面図である。
【０１０８】
まず、メインロールホルダ１０６に収容されていた用紙１１０が無くなると、ロール軸１０７が傾斜され、ロール軸１０７に残るロール紙１１０の芯１１０ａが、下方へ落下される（図１１(a)）。次に分離板１０４が上方に回動され、予備ロールホルダ１０１がメインロールホルダ１０６の方（図１１では右方向）へ移動される。このとき、ロール紙１１０の芯孔にロール軸１０７が挿入される（図１１（ｂ））。
【０１０９】
次に、分離板１０４が、下方に回動され、予備ロールホルダ１０１とロール紙１１０のロール端との間に位置し、予備ロールホルダ１０１は、正面側（図１１では左方向）へ移動され、元位置に戻る。予備ロールホルダ１０１のロール軸１０８は、軸心の方向（図１１（ｃ）で示す矢印の方向）へ移動可能に構成され、
ロール軸１０８を、引き抜いた状態で新たなロール紙１１０を装着し、ロール軸１０８を再度押し込むことによりロール紙１１０を保持することができる。
【０１１０】
なお、ロール紙１１０が給紙される場合には、排紙部４等において、１頁毎に切断するカッター（図示せず）を備え、１頁毎に切断して収納するようにしてもよい。
【０１１１】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【０１１２】
例えば、上記第１の実施形態では、排紙部４は、メイン排紙トレイ４ｃと予備排紙トレイ４ｂとにより構成されるものとしたが、図１２に示すように、給紙部３は、第１の実施形態と同一の構成とし、排紙部４は、一つのトレイで構成し、第１の実施形態において予備排紙トレイが配置された場所には、インクカートリッジやパージ用ポンプや、電源などを配置するようにしてもよい。この場合には、排紙開口は、給紙線上の側面（左側）に形成されることになる。
【図面の簡単な説明】
【０１１３】
【図１】（ａ）は、本発明の第１の実施例における画像形成装置の構成を概略的に示した斜視図であり、（ｂ）は、画像形成装置の各部の配置を示す平面図である。
【図２】画像形成部の構成を概略的に示す斜視図である。
【図３】給紙部の構成を概略的に示す斜視図である。
【図４】給紙部の押圧板の駆動機構を示す図であり、（ａ）は、図３における給紙部のＦ−Ｆ線断面図であり、（ｂ）は、（ａ）におけるＥ−Ｅ線断面図である。
【図５】給紙部における予備給紙トレイに収容されている用紙をメイン給紙トレイに移動する動作を示す図である。
【図６】排紙部の構成を概略的に示す斜視図である。
【図７】排紙部におけるメイン排紙トレイに収容されている用紙を予備排紙トレイに移動する動作を示す図である。
【図８】画像形成装置の電気回路構成の概略を示すブロック図である。
【図９】給紙部および排紙部における移動処理を示すフローチャートである。
【図１０】第２の実施例であるロール紙を給紙する給紙部を概略的に示す斜視図である。
【図１１】第２の実施例であるロール紙を給紙する給紙部の動作を示す図である。
【図１２】排紙部の変形例を示す配置図である。
【符号の説明】
【０１１４】
１              画像形成装置
２              画像形成部
２ａ            正面パネル
２ｂ            操作子
２ｃ            表示器
２ｄ            開口部
３              給紙部
３ａ            給紙開口
３ｂ            予備給紙トレイ（副給紙手段）
３ｃ            メイン給紙トレイ（主給紙手段）
４              排紙部
４ａ            排紙開口
４ｂ            予備排紙トレイ（副排紙手段）
４ｃ            メイン排紙トレイ（主排紙手段）
５Ｙ，５Ｍ，５Ｃ，５Ｋ  インクカートリッジ
１６            用紙
４３            押圧板（給紙移動手段の一部）
４３ｃ          支持部材（支持手段）
６４            押圧板（排紙移動手段）
１１０          ロール紙（用紙）
【図１】
2006096534.tif 000003
【図２】
2006096534.tif 000004
【図３】
2006096534.tif 000005
【図４】
2006096534.tif 000006
【図５】
2006096534.tif 000007
【図６】
2006096534.tif 000008
【図７】
2006096534.tif 000009
【図８】
2006096534.tif 000010
【図９】
2006096534.tif 000011
【図１０】
2006096534.tif 000012
【図１１】
2006096534.tif 000013
【図１２】
2006096534.tif 000014